Podtech/llm-jp-corpus-v4-ja_patent huggingface dataset:
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
動物、好ましくはヒトの過敏症を治療する方法に使用される組成物において、前記組成物が、
（ａ）粒子と
（ｂ）免疫賦活性核酸
を含むか、本質的にこれらからなるか、又はこれらからなり、
前記粒子がウイルス様粒子であり、
前記粒子が前記免疫賦活性核酸と共にパッケージされている組成物。
【請求項２】
前記ウイルス様粒子がバクテリオファージのウイルス様粒子であり、好ましくは前記ウイルス様粒子がＲＮＡバクテリオファージのウイルス様粒子である請求項１に記載の組成物。
【請求項３】
前記ウイルス様粒子が、ＲＮＡバクテリオファージの、組換えタンパク質又はその断片を含むか、本質的にこれらからなるか、又はこれらからなる請求項１又は２に記載の組成物。
【請求項４】
前記ウイルス様粒子が、ＲＮＡバクテリオファージの、コートタンパク質又はその断片を含むか、本質的にこれらからなるか、又はこれらからなる請求項１から３の何れか一項に記載の組成物。
【請求項５】
前記ＲＮＡバクテリオファージが、
（ａ）バクテリオファージＱβ；
（ｂ）バクテリオファージＲ１７；
（ｃ）バクテリオファージｆｒ；
（ｄ）バクテリオファージＧＡ；
（ｅ）バクテリオファージＳＰ；
（ｆ）バクテリオファージＭＳ２；
（ｇ）バクテリオファージＭ１１；
（ｈ）バクテリオファージＭＸ１；
（ｉ）バクテリオファージＮＬ９５；
（ｊ）バクテリオファージｆ２；
（ｋ）バクテリオファージＰＰ７；及び
（ｌ）バクテリオファージＡＰ２０５
からなる群から選択される請求項２から４の何れか一項に記載の組成物。
【請求項６】
前記ＲＮＡバクテリオファージがＱβである請求項２から４の何れか一項に記載の組成物。
【請求項７】
前記コートタンパク質が配列番号３のアミノ酸配列を有する請求項４又は５に記載の組成物。
【請求項８】
前記免疫賦活性核酸が非メチル化ＣｐＧ含有オリゴヌクレオチドであり、好ましくは前記非メチル化ＣｐＧ含有オリゴヌクレオチドがパリンドローム配列を含んでなり、更に好ましくは前記非メチル化ＣｐＧ含有オリゴヌクレオチドのＣｐＧモチーフがパリンドローム配列の一部であり、また更に好ましくは前記パリンドローム配列がＧＡＣＧＡＴＣＧＴＣ（配列番号２８）である請求項１から７の何れか一項に記載の組成物。
【請求項９】
前記パリンドローム配列には、その５’末端及びその３’末端にグアノシン単位が隣接しており、好ましくは前記パリンドローム配列には、その５’末端に少なくとも３で多くとも１５のグアノシン単位が隣接し、前記パリンドローム配列には、その３’末端に少なくとも３で多くとも１５のグアノシン単位が隣接しており、更に好ましくは前記非メチル化ＣｐＧ含有オリゴヌクレオチドが、
（ａ）「Ｇ６−６」  ＧＧＧＧＧＧＧＡＣＧＡＴＣＧＴＣＧＧＧＧＧＧ（配列番号３２）；  
（ｂ）「Ｇ７−７」  ＧＧＧＧＧＧＧＧＡＣＧＡＴＣＧＴＣＧＧＧＧＧＧＧ（配列番号３３）；
（ｃ）「Ｇ８−８」  ＧＧＧＧＧＧＧＧＧＡＣＧＡＴＣＧＴＣＧＧＧＧＧＧＧＧ（配列番号２５）；
（ｄ）「Ｇ９−９」  ＧＧＧＧＧＧＧＧＧＧＡＣＧＡＴＣＧＴＣＧＧＧＧＧＧＧＧＧ（配列番号２６）；及び
（ｅ）「Ｇ１０」  ＧＧＧＧＧＧＧＧＧＧＧＡＣＧＡＴＣＧＴＣＧＧＧＧＧＧＧＧＧＧ（配列番号２７）
からなる群から選択される配列を含むか又はそれからなり、最も好ましくは前記非メチル化ＣｐＧ含有オリゴヌクレオチドが、配列ＧＧＧＧＧＧＧＧＧＧＧＡＣＧＡＴＣＧＴＣＧＧＧＧＧＧＧＧＧＧ（配列番号２７）からなる請求項８に記載の組成物。
【請求項１０】
前記非メチル化ＣｐＧ含有オリゴヌクレオチドが、専らホスホジエステル結合ヌクレオチドからなる請求項８又は９に記載の組成物。
【請求項１１】
前記免疫賦活性核酸、好ましくは前記非メチル化ＣｐＧ含有オリゴヌクレオチドが、デオキシリボヌクレアーゼ加水分解を受けないものであり、好ましくは前記免疫賦活性核酸が非メチル化ＣｐＧ含有オリゴヌクレオチドであり、該非メチル化ＣｐＧ含有オリゴヌクレオチドがベンゾネース加水分解を受けない請求項１から１０の何れか一項に記載の組成物。
【請求項１２】
前記免疫賦活性核酸が配列ＧＧＧＧＧＧＧＧＧＧＧＡＣＧＡＴＣＧＴＣＧＧＧＧＧＧＧＧＧＧ（配列番号２７）からなる非メチル化ＣｐＧ含有オリゴヌクレオチドであり、該非メチル化ＣｐＧ含有オリゴヌクレオチドが、専らホスホジエステル結合ヌクレオチドからなる請求項１から１１の何れか一項に記載の組成物。
【請求項１３】
前記過敏症が、（ａ）アレルギー、好ましくはＩｇＥ依存性アレルギー（Ｉ型アレルギー）、（ｂ）喘息、好ましくはＩｇＥ依存性喘息、及び（ｃ）皮膚炎、好ましくはアトピー性湿疹から選択される請求項１から１２の何れか一項に記載の組成物。
【請求項１４】
前記過敏症が天然に生じるアレルゲンに対するＩｇＥ依存性アレルギーであり、好ましくは前記ＩｇＥ依存性アレルギーが、
（ａ）花粉アレルギー（花粉症）；
（ｂ）ハウスダストアレルギー；
（ｃ）食物アレルギー；
（ｄ）薬物アレルギー；
（ｅ）昆虫毒アレルギー、好ましくは蜂毒アレルギー；及び
（ｆ）動物アレルギー、好ましくはネコアレルギー
からなる群から選択される請求項１から１３の何れか一項に記載の組成物。
【請求項１５】
前記過敏症が喘息である請求項１から１４の何れか一項に記載の組成物。
【請求項１６】
前記組成物がアレルゲン又はアレルゲン抽出物を含まない請求項１から１５の何れか一項に記載の組成物。
【請求項１７】
前記方法が、前記組成物を前記動物に導入することを含み、好ましくは前記動物が哺乳動物、最も好ましくはヒトであり、更に好ましくは前記組成物が前記動物に、皮下、筋肉内、静脈内、鼻腔内、又はリンパ節に直接に導入される、請求項１から１６の何れか一項に記載の組成物。
【請求項１８】
前記動物への前記導入が、１週間から３ヶ月の間隔、好ましくは２週間の間隔で、少なくとも２回、好ましくは３回、繰り返される請求項１７に記載の組成物。
【請求項１９】
前記動物への前記導入が、毎週の間隔で６回繰り返され、好ましくはそれぞれの都度、５０μｇから約５００μｇ、最も好ましくは約３００μｇの前記組成物が導入される請求項１７又は１８に記載の方法。
【請求項２０】
前記組成物が、アレルゲン又はアレルゲン抽出物のない前記動物に導入され、好ましくは前記組成物が、アレルゲン又はアレルゲン抽出物の投与をしないで前記動物に導入される請求項１から１９の何れか一項に記載の組成物。
【請求項２１】
前記組成物が前記動物に導入され、前記動物への前記組成物の前記導入が、前記動物への前記組成物の前記導入の（ａ）少なくとも一週間前と少なくとも一週間後の間、（ｂ）少なくとも４週間前と少なくとも４週間後の間、又は（ｃ）少なくとも８週間前と少なくとも８週間後の間はアレルゲン又はアレルゲン抽出物が前記動物に導入されないように、実施される請求項１から２０の何れか一項に記載の組成物。
【請求項２２】
（ａ）請求項１から２１の何れか一項に記載の組成物；及び
（ｂ）アジュバント、好ましくはアルミニウム含有アジュバント、最も好ましくはアルハイドロゲル
を含有し、これらから本質的になり、又はこれらからなる薬学的組成物。
【手続補正書】
【提出日】平成21年12月7日(2009.12.7)
【手続補正１】
【補正対象書類名】特許請求の範囲
【補正対象項目名】請求項１
【補正方法】変更
【補正の内容】
【請求項１】
バンコマイシンを精製する方法であって、
前記バンコマイシンを水に溶解し、３００００Ｄａ未満の公称保持を有する膜を用いて溶液を限外ろ過することにより実施される方法。
【手続補正２】
【補正対象書類名】明細書
【補正対象項目名】発明の名称
【補正方法】変更
【補正の内容】
【発明の名称】バンコマイシンを精製する方法
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
リポペプチドを生産する有効量のバチルス細菌をプロバイオティックとして含む、腸異常の予防のための医薬組成物。
【請求項２】
腸異常が抗生物質関連下痢症、クロストリジウムディフィシル（Clostridium difficile）獲得性下痢症、炎症性腸疾患、および消化器疾患からなる群から選択される、請求項１に定義された医薬組成物。
【請求項３】
リポペプチドを生産する有効量のバチルス細菌をプロバイオティックとして含む、腸異常の治療のための医薬組成物。
【請求項４】
腸異常が抗生物質関連下痢症、クロストリジウムディフィシル獲得性下痢症、炎症性腸疾患、および消化器疾患からなる群から選択される、請求項３に定義された医薬組成物。
【請求項５】
バチルス細菌と合わせてイヌリンの投与がさらに組み合わされる、請求項１に定義された医薬組成物。
【請求項６】
バチルス細菌と合わせてイヌリンの投与がさらに組み合わされる、請求項３に定義された医薬組成物。
【請求項７】
バチルス細菌と合わせてプロバイオティックの投与がさらに組み合わされる、請求項１に定義された医薬組成物。
【請求項８】
バチルス細菌と合わせてプロバイオティックの投与がさらに組み合わされる、請求項３に定義された医薬組成物。
【請求項９】
細菌がバチルスアミロリキファシエンス（Bacillus amyloliquefaciens）およびバチルスサブチリス（Bacillus subtilis）からなる群から選択される、請求項１に定義された医薬組成物。
【請求項１０】
細菌がバチルスアミロリキファシエンスおよびバチルスサブチリスからなる群から選択される、請求項３に定義された医薬組成物。
【請求項１１】
バチルス細菌が投与時に相乗作用を持つ化合物を生産する、請求項１に定義された医薬組成物。
【請求項１２】
バチルス細菌が投与時に相乗作用を持つ化合物を生産する、請求項３に定義された医薬組成物。
【請求項１３】
ＳＥＱ  ＩＤ  ＮＯ：１の１６Ｓ  ｒＲＮＡ配列を有する、分離された細菌菌株。
【請求項１４】
菌株がＳＥＱ  ＩＤ  ＮＯ：１の１６Ｓ  ｒＲＮＡ配列に少なくとも９０％相同性を有する、請求項１３に定義された、分離された細菌菌株。
【請求項１５】
ＳＥＱ  ＩＤ  ＮＯ：２の部分的ｇｙｒＡ配列を有する、分離された細菌菌株。
【請求項１６】
ＳＥＱ  ＩＤ  ＮＯ：２の部分的ｇｙｒＡ配列に少なくとも９０％相同性を有する、請求項１５に定義された、分離された細菌菌株。
【請求項１７】
ＳＥＱ  ＩＤ  ＮＯ：３の部分的ｇｙｒＡ配列を有する、分離された細菌菌株。
【請求項１８】
ＳＥＱ  ＩＤ  ＮＯ：３の部分的ｇｙｒＡ配列に少なくとも９０％相同性を有する、請求項１７に定義された、分離された細菌菌株。
【請求項１９】
バチルス細菌がＡＴＣＣ菌株ＰＴＡ−６７３７として同定された菌株の細菌からなる、請求項１に定義された医薬組成物。
【請求項２０】
バチルス細菌がＡＴＣＣ菌株ＰＴＡ−６７３７として同定された菌株の細菌からなる、請求項３に定義された医薬組成物。
【誤訳訂正書】
【提出日】平成21年12月9日(2009.12.9)
【誤訳訂正１】
【訂正対象書類名】特許請求の範囲
【訂正対象項目名】全文
【訂正方法】変更
【訂正の内容】
【特許請求の範囲】
【請求項１】
植物又はその繁殖材料の生長を制御することができる組成物であって、植物の生長を制御する活性成分として、成分（Ａ）及び成分（Ｂ）の混合物を含んで成り、成分（Ａ）がパクロブトラゾールであり、そして成分（Ｂ）がジフェノコナゾールであり、成分（Ａ）及び成分（Ｂ）が相乗効果をもたらす量で前記組成物中に存在している、組成物。
【請求項２】
成分（Ａ）対成分（Ｂ）の重量比が１０００：１〜１：１０００である、請求項１に記載の組成物。
【請求項３】
植物又はその繁殖材料の生長を阻害することで植物の生長を制御する、請求項１又は２に記載の組成物。
【請求項４】
植物又はその繁殖材料の生長を制御する方法であって、当該植物、その場所又はその繁殖材料に対し、請求項１〜３のいずれか１項に記載の組成物を施与することを含んで成る方法。
【請求項５】
収量の増大を達成するために植物の生長を制御する方法であって、当該植物、その場所又はその繁殖材料に対し、請求項１〜３のいずれか１項に記載の組成物を施与することを含んで成る方法。
【請求項６】
前記組成物が植物又はその場所に施与される、請求項４又は５に記載の方法。
【請求項７】
前記組成物が前記植物の繁殖材料に施与される、請求項４又は５に記載の方法。
【請求項８】
前記植物又はその繁殖材料が穀類又はナタネ植物あるいはその繁殖材料である、請求項４〜７のいずれか１項に記載の方法。
【請求項９】
植物又はその繁殖材料の生長を制御する方法における、請求項１〜３のいずれか１項に記載の組成物の使用。
【請求項１０】
前記植物又は前記繁殖材料の生長が阻害される、請求項９に記載の使用。
【請求項１１】
前記植物又は前記繁殖材料が穀類又はナタネ植物あるいはその繁殖材料である、請求項１０に記載の使用。
【誤訳訂正２】
【訂正対象書類名】明細書
【訂正対象項目名】００４３
【訂正方法】変更
【訂正の内容】
【００４３】
本発明の組成物は更に、以下の植物の病気を防除するのに特に有用である。
果物及び野菜におけるアルテルナリア種、
豆穀類におけるアスコキタ種（Ascochyta spp.）、
イチゴ、トマト、ヒマワリ、豆類、野菜及びブドウにおけるハイイロカビ（Botrytis cinerea）（灰色カビ）、
落花生におけるセルコスポラ・アラキジコラ（Cercospora arachidicola）、
穀類におけるコクリオボルス・サチブス（Cochliobolus sativus）、
豆穀類におけるコレトトリクム種（Colletotrichum spp.）、
穀類におけるエリシフェ属の種（Erysiphe spp.）、
ウリ科植物におけるエリシフェ・シコラセアルム（Erysiphe cichoracearum）とスファエロテカ・フリギネア（Sphaerotheca fuliginea）、
穀類とトウモロコシにおけるフサリウム種（Fusarium spp.）、
穀類と芝生におけるゴイマにおけるミセス・グラミニス（Gaaumannomyces graminis）、
トウモロコシ、コメ及びジャガイモにおけるヘルミントスポリウム種（Helminthosporium spp.）、
コーヒーにおけるヘミレイア・バストトリックシ（Hemileia vastatrix）、
小麦とライムギにおけるミクロドキウム種（Microdochium spp.）、
ダイズにおけるファコプソラ種（Phakopsora spp.）、
穀類、広葉の作物及び多年生の作物におけるプクシニア種（Puccinia spp.）、
穀類におけるシュードセルコスポレラ種(Pseudocercosporella spp.)
バラにおけるフラグミジウム・ムクロナツム（Phragmidium mucronatum）、
果物におけるポドスファエラ種(Podoshpaera spp.)
大麦におけるピレノホラ種（Pyrenophora spp.）、
コメにおけるピリクラリア・オリザエ（Pyricularia oryzae）、
大麦におけるラムラリア・コロ−シグニ（Ramularia collo-cygni）、
綿花、ダイズ、穀類、トウモロコシ、ジャガイモ、コメ、及び芝生におけるリゾクトニア種（Rhizoctonia spp.）、
オオムギ及びライムギにおけるリンコスポリウム・セカリス(Rhyncosporium secalis)、
芝生、レタス、野菜及びナタネにおけるスクレロチニア種（Sclerotinia spp.）、
穀類、ダイズ及び野菜におけるセプトリア種(Septoria spp.)
トウモロコシにおけるスファセロテカ・レイリアナ（Sphacelotheca reilliana）、
穀類におけるチレチア種（Tilletia spp.）、
ワイン用ブドウにおけるウンシヌラ・ネクトール、グイナルジア・ビドウェリ(Guignardia bidwellii)及びフォモプシス・ビチコラ(Phomopsis viticola)、
ライムギにおけるウロシチス・オキュルタ(Urocystis occulta)、
穀類及びトウモロコシにおけるウスチラゴ種（例えば、ウスチラゴ・ヌーダ（Ustilago nuda））、
果実におけるベンチュリア種、
果実におけるモニリニア種、
バナナに対するマイコスファレァ・フィジエンシス(Mycosphaerella fijiensis）。
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
低誘電率膜を堆積させる方法であって：
第一有機シリコン化合物を第一流量でチャンバへ導入するステップであって、該第一有機シリコン化合物がＳｉ原子あたり平均一つ以上のＳｉ-Ｃ結合を有し、該第一有機シリコン化合物は少なくとも一つのＳｉ−Ｈ結合を有する、前記ステップと；
第二有機シリコン化合物を第二流量で該チャンバへ導入するステップであって、該第二有機シリコン化合物のＳｉ原子あたりのＳｉ-Ｃ結合の平均数が、該第一有機シリコン化合物におけるＳｉ原子あたりのＳｉ-Ｃ結合の平均数より大きく、且つ該第一流量と該第二流量の合計量に対して該第二流量が約５％〜約５０％である、前記ステップと；
該第一有機シリコン化合物と該第二有機シリコン化合物をＲＦ電力の存在下に反応させて、該チャンバ内で基板上に低誘電率膜を堆積させるステップと；
を含む、前記方法。
【請求項２】
該第一有機シリコン化合物が、少なくとも一つのＳｉ-Ｏ結合を含む、請求項１に記載の方法。
【請求項３】
該第一有機シリコン化合物が、二つのＳｉ-Ｏ結合を含む、請求項２に記載の方法。
【請求項４】
該第二有機シリコン化合物が、酸素を含む、請求項１に記載の方法。
【請求項５】
該第二有機シリコン化合物が、ジメチルシラン、トリメチルシラン、テトラメチルシラン、（Ｃ６Ｈ５)ｙＳｉＨ４−ｙ、ここで、ｙは２−４である、（ＣＨ２＝ＣＨ)ｚＳｉＨ４−ｚ、ここで、ｚは２−４である、１,１,３,３−テトラメチルジシロキサン、ヘキサメチルジシロキサン、ヘキサメチルトリシロキサン、オクタメチルシクロテトラシロキサン、デカメチルペンタシロキサン、ジメチルジエトキシシラン、メチルフェニルジエトキシシラン、ＣＦ３−Ｓｉ−(ＣＨ３)３、及びそれらの部分的にフッ素化された炭素誘導体からなる群より選ばれる、請求項１に記載の方法。
【請求項６】
酸化ガスを該チャンバへ導入するステップを更に含む、請求項１に記載の方法。
【請求項７】
該低誘電率膜をＵＶ、電子ビーム、熱後処理、又はそれらの組合わせで後処理するステップを更に含む、請求項１に記載の方法。
【請求項８】
低誘電率膜を堆積させる方法であって：
第一有機シリコン化合物を第一流量でチャンバへ導入するステップであって、該第一有機シリコン化合物がＳｉ原子あたり平均一つ以上のＳｉ−Ｃ結合を有し、該第一有機シリコン化合物は少なくとも一つのＳｉ−Ｈ結合を有する、前記ステップと；
第二有機シリコン化合物を第二流量で該チャンバへ導入するステップであって、該第二有機シリコン化合物のＳｉ原子あたりのＳｉ−Ｃ結合の平均数が、該第一有機シリコン化合物におけるＳｉ原子あたりのＳｉ−Ｃ結合の該平均数より大きく、且つ該第一流量と該第二流量の合計量に対して該第二流量が約５％〜約５０％である、前記ステップと；
熱に不安定な化合物を該チャンバへ導入するステップと；
該第一有機シリコン化合物と、該第二有機シリコン化合物と、該熱に不安定な化合物とをＲＦ電力の存在下に反応させて、該チャンバ内で基板上に低誘電率膜を堆積させる、前記ステップと；
を含む、前記方法。
【請求項９】
該熱に不安定な化合物が炭化水素である、請求項８に記載の方法。
【請求項１０】
該炭化水素が、環状炭化水素である、請求項９に記載の方法。
【請求項１１】
該環状炭化水素が、アルファ-テルピネン、ノルボルナジエン、ビニルシクロヘキサン、及び酢酸フェニルからなる群より選ばれる、請求項１０に記載の方法。
【請求項１２】
該低誘電率膜をＵＶ、電子ビーム、熱後処理、又はそれらの組合わせで後処理するステップを更に含む、請求項８に記載の方法。
【請求項１３】
低誘電率膜を堆積させる方法であって：
メチルジエトキシシランを第一流量でチャンバへ導入するステップと；
トリメチルシランを第二流量で該チャンバへ導入するステップであって、該第一流量と該第二流量の合計量に対し該第二流量が約５％〜約５０％である、前記ステップと；
アルファ-テルピネンを該チャンバへ導入するステップと；
該メチルジエトキシシランと、トリメチルシランと、アルファ-テルピネンとをＲＦ電力の存在下に反応させて、該チャンバ内で基板上に低誘電率膜を堆積させる、前記ステップと；
を含む、前記方法。
【請求項１４】
該第一流量と該第二流量の合計で割った該第二流量が、約１０％〜約４５％である、請求項１３に記載の方法。
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
マルチキャリア広帯域無線通信において使用される方法であって、
送信に使用すべきものとして受信対象装置が選択した、複数のキャリア周波数からなるキャリア周波数グループを識別するための識別情報を受信する受信ステップと、
前記キャリア周波数グループの送信に関連付けられた通信品質を示す通信品質情報を供給する供給ステップと、
送信に使用すべきものとして前記受信対象装置が選択した他のキャリア周波数グループを示す他の情報を受信するステップと、
前記他のキャリア周波数グループの送信に関連付けられた通信品質を示す他の通信品質情報を供給するステップと、
前記他のキャリア周波数グループに関連付けられたインデックスと、前記キャリア周波数グループに関連付けられたインデックスとの間の差を示す情報を含んでいる前記他の情報を、前記他のキャリア周波数グループを特定するために、前記識別情報とともに使用するステップと、
前記通信品質情報に基づいて、各キャリア周波数グループの送信に使用すべき変調方式と符号化方式とを選択する選択ステップと、
選択された前記変調方式と符号化方式とにしたがって前記各キャリア周波数グループ上で送信を実行する送信ステップと
を含むことを特徴とする方法。
【請求項２】
前記供給ステップは、前記受信対象装置から前記通信品質情報を受信するステップを含むことを特徴とする請求項１に記載の方法。
【請求項３】
前記識別情報に基づいて他のキャリア周波数グループを特定するステップと、
前記他のキャリア周波数グループの送信に関連付けられた通信品質を示す他の通信品質情報を供給するステップと、
前記他の通信品質情報に基づいて、前記他のキャリア周波数グループの送信に使用すべき変調方式と符号化方式とを選択するステップと、
選択された前記変調方式と符号化方式とにしたがって前記他のキャリア周波数グループ上で送信を実行するステップと
をさらに含むことを特徴とする請求項１に記載の方法。
【請求項４】
前記他のキャリア周波数グループは、最初の前記キャリア周波数グループに対して所定の周波数関係を有することを特徴とする請求項３に記載の方法。
【請求項５】
前記他のキャリア周波数グループの送信に関連付けられた通信品質を示す他の通信品質情報を供給するステップは、
前記他のキャリア周波数グループを使用して前記受信対象装置が送信してきた信号の受信結果に関連した通信品質に基づいて、前記他の通信品質情報を推定するステップ
を含むことを特徴とする請求項３に記載の方法。
【請求項６】
マルチキャリア広帯域無線通信において使用される方法であって、
送信に使用すべきものとして受信対象装置が選択した、複数のキャリア周波数からなるキャリア周波数グループを識別するための識別情報を供給する供給ステップと、
送信に使用すべきものとして前記受信対象装置が選択した他のキャリア周波数グループを示す他の情報であって、該他のキャリア周波数グループに関連付けられたインデックスと、前記キャリア周波数グループに関連付けられたインデックスとの間の差を示す情報を含んでいる該他の情報を、前記記他のキャリア周波数グループを識別するために、前記識別情報と組み合わせて供給するステップと、
前記キャリア周波数グループの送信に関連付けられた通信品質に基づいて選択された変調方式と符号化方式にしたがって送信を実行する送信機に対して、前記識別情報を送信する送信ステップと
を含むことを特徴とする方法。
【請求項７】
前記送信機に対して、前記通信品質を示す情報を送信するステップをさらに含むことを特徴とする請求項６に記載の方法。
【請求項８】
マルチキャリア広帯域無線通信装置であって、
送信に使用すべきものとして受信対象装置が選択した、複数のキャリア周波数からなるキャリア周波数グループを識別するための識別情報と、送信に使用すべきものとして該受信対象装置が選択した他のキャリア周波数グループを示す他の情報とを受信するための入力部と、
前記他のキャリア周波数グループを特定するために、前記他のキャリア周波数グループに関連付けられたインデックスと前記キャリア周波数グループに関連付けられたインデックスとの間の差を示す情報を含んでいる前記他の情報を前記識別情報とともに使用する手段と、
各キャリア周波数グループの送信に関連付けられた通信品質を示す通信品質情報を供給する入力手段を備え、前記通信品質情報に基づいて、前記キャリア周波数グループの送信に使用すべき変調方式と符号化方式とを選択するリンクアダプテーション部と、
アンテナ装置と、
前記アンテナ装置と、前記リンクアダプテーション部と、前記入力部とに接続され、前記アンテナ装置と協働し、選択された前記変調方式と符号化方式とにしたがって前記キャリア周波数グループ上で送信を実行する送信部と
を含むことを特徴とするマルチキャリア広帯域無線通信装置。
【請求項９】
マルチキャリア広帯域無線通信装置であって、
マルチキャリア広帯域無線通信装置への送信に使用すべき複数のキャリア周波数からなるキャリア周波数グループを選択し、選択した該キャリア周波数グループを識別するための識別情報と、送信に使用すべきものとして該受信対象装置が選択した他のキャリア周波数グループを示す他の情報とを含む報告を供給する報告生成部と、
アンテナ装置と、
前記報告生成部と、前記アンテナ装置とに接続され、前記キャリア周波数グループの送信に関連付けられた通信品質に基づいて選択された変調方式と符号化方式にしたがって送信を実行する送信機に対して、前記報告を前記アンテナ装置と協働して送信する送信部と
を含み、前記他の情報は、前記他のキャリア周波数グループに関連付けられたインデックスと、前記キャリア周波数グループに関連付けられたインデックスとの間の差を示す情報を含んでいることを特徴とするマルチキャリア広帯域無線通信装置。
【手続補正書】
【提出日】平成22年5月18日(2010.5.18)
【手続補正１】
【補正対象書類名】特許請求の範囲
【補正対象項目名】請求項１８
【補正方法】変更
【補正の内容】
【請求項１８】
通信ネットワークにおいて制御データを提供するための方法をコンピュータに実行させるためのプログラムを記録したコンピュータ読み取り可能な記録媒体であって、該方法は、
音声データを受信するための接続を確立するための制御データを、音声ゲートウェイ（１）から受信する工程と、
前記音声ゲートウェイから前記第１の無線通信装置までの前記音声データの通信のために、前記制御データを使用して、前記第１の無線通信装置（２）と前記音声ゲートウェイ（１）との無線接続を成立させる工程と、
他の無線通信装置（３、４）から前記制御データについての要求を受信する工程と、
前記音声ゲートウェイと前記第１の無線通信装置との間において通信が行われた場合に、前記他の無線通信装置（３、４）が前記制御データを使用して前記音声データを受信することができるように、前記要求に応答して、前記制御データを前記他の無線通信装置（３、４）へ転送する工程と
を備えることを特徴とする記録媒体。
【手続補正２】
【補正対象書類名】特許請求の範囲
【補正対象項目名】請求項１９
【補正方法】変更
【補正の内容】
【請求項１９】
通信ネットワークにおいて制御データを要求するための方法をコンピュータに実行させるためのプログラムを記録したコンピュータ読み取り可能な記録媒体であって、該方法は、
音声ゲートウェイ（１）と第１の無線通信装置（２）との間の音声データの通信をサポートする制御データについての要求を前記第１の無線通信装置（２）へ送信する工程と、
前記第１の無線通信装置（２）から前記制御データを受信する工程と、
前記音声ゲートウェイと前記第１の無線通信装置との間において通信が行われた場合に、前記音声ゲートウェイ（１）と前記第１の無線通信装置（２）との間において通信される前記音声データを受信するために受信機ユニット（２１）を制御すべく、前記制御データを使用する工程と
を備えることを特徴とする記録媒体。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
ａ）溶解、懸濁および／または乳化された形でのフレーバーおよび／またはフレグランス成分、マトリックス材料および水を含有する水性溶液、懸濁液および／またはエマルションを製造し、
ｂ）このエマルションを１００〜２０００μｍの平均直径を有する液滴の形で、噴霧塔中に分散させ、
ｃ）噴霧工程と同時に粉化剤を噴霧塔中に導入して、噴霧されたエマルションの液滴上に粉化剤の被覆を得て、
ｄ）分散工程と同時にホットガスを噴霧塔中に供給し、かつ、
ｅ）噴霧塔から粉化剤被覆されたカプセルを除去する、
工程を含む、１００〜２０００μｍの範囲の平均直径を有し、かつカプセル封入されたフレーバーおよび／またはフレグランス成分または組成物を含有するカプセルを製造する方法において、ホットガスを１３０〜２５０℃の温度で、工程ｄ）中に供給することを特徴とする、前記カプセルを製造するための方法。
【請求項２】
ホットガスの温度が１５０℃を上回る、請求項１に記載の方法。
【請求項３】
カプセルが噴霧塔中で粉化剤によって被覆され、かつ少なくとも表面的にホットガスにより乾燥されるや、カプセルを流動床により遮断する工程をさらに含む、請求項１に記載の方法。
【請求項４】
流動床を、４０〜約１００℃の範囲の温度を有するガスを用いて供給する、請求項３に記載の方法。
【請求項５】
成分、マトリックス成分および水を含有するエマルションが、エマルションの全量に対して４５〜８０質量％の乾燥物質含量を有する、請求項１に記載の方法。
【請求項６】
カプセル封入すべき成分が、２５℃で０．００７Ｐａを上回る蒸気圧を有する化合物を少なくとも１０質量％含有する、請求項１に記載の方法。
【請求項７】
得られたカプセルが、１８〜５０質量％のフレーバーおよび／またはフレグランス成分装填量を有する、請求項１に記載の方法。
【請求項８】
粉化剤が、澱粉、澱粉誘導体、タルク、ベントナイト、二酸化ケイ素、ケイ酸カルシウム、ケイ酸マグネシウム、ケイ酸アルミニウムまたはケイ酸カリウム、アルミノケイ酸ナトリウム、アルミノケイ酸カリウムまたはアルミノケイ酸カルシウム、炭酸カルシウム、炭酸ナトリウムまたは炭酸マグネシウム、リン酸カルシウムまたはリン酸マグネシウム、
クエン酸第二鉄アンモニウム、微結晶性セルロースおよびセルロース誘導体またはセルロース繊維、脂肪酸のアルミニウム塩、カルシウム塩、ナトリウム塩、マグネシウム塩、カリウム塩またはアンモニウム塩、酸化マグネシウムおよび前記粉化剤の２種またはそれ以上を含有する混合物から成る群から選択される、請求項１に記載の方法。
【請求項９】
カプセル封入されたフレーバーおよび／またはフレグランス成分を含有する、１００〜２０００μｍの範囲の平均直径を有するカプセルであって、その際、成分の装填量が１８〜４０質量％であり、このカプセルがさらに粉化剤によって提供された被覆を含有し、その際、この被覆はカプセルの全量の０．１〜３０質量％を提供する、前記カプセル。
【請求項１０】
粉化剤の被覆を有する請求項９に記載のカプセルにおいて、前記粉化剤が澱粉、澱粉誘導体、タルク、ベントナイト、二酸化ケイ素、ケイ酸カルシウム、ケイ酸マグネシウム、ケイ酸アルミニウムまたはケイ酸カリウム、アルミノケイ酸ナトリウム、アルミノケイ酸カリウムまたはアルミノケイ酸カルシウム、炭酸カルシウム、炭酸ナトリウムまたは炭酸マグネシウム、リン酸カルシウムまたはリン酸マグネシウム、クエン酸第二鉄アンモニウム、微結晶性セルロースおよびセルロース誘導体またはセルロース繊維、脂肪酸のアルミニウム塩、カルシウム塩、ナトリウム塩、マグネシウム塩、カリウム塩またはアンモニウム塩、酸化マグネシウムおよび前記粉化剤の２種またはそれ以上を含有する混合物から成る群から選択される、請求項９に記載のカプセル。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
単一単位剤形の医薬製剤であって、該剤形が、
(a)ヌクレオシド系逆転写酵素阻害剤又はその生理的機能性誘導体、及び
(b)ヌクレオチド系逆転写酵素阻害剤又はその生理的機能性誘導体を含み、
該製剤が多層状錠剤、又はコーティングコア錠剤の形態であり、
該ヌクレオシド系逆転写酵素阻害剤又はその生理的機能性誘導体が、該剤形において、ヌクレオチド系逆転写酵素阻害剤又はその生理的機能性誘導体と異なる領域内に提供されている、前記医薬製剤。
【請求項２】
前記ヌクレオシド系逆転写酵素阻害剤又はその生理的機能性誘導体が、前記剤形の第一領域内に提供され、かつ前記ヌクレオチド系逆転写酵素阻害剤又はその生理的機能性誘導体が、前記剤形の第二領域内に提供され、該第一領域はヌクレオチド系逆転写酵素阻害剤を含まない又は実質的に含まず、かつ該第二領域はヌクレオシド系逆転写酵素阻害剤を含まない又は実質的に含まない、請求項１記載の医薬製剤。
【請求項３】
多層状錠剤の形態であり、前記錠剤の第一層が前記ヌクレオシド系逆転写酵素阻害剤又はその生理的機能性誘導体を含み、かつ前記錠剤の第二層が前記ヌクレオチド系逆転写酵素阻害剤又はその生理的機能性誘導体を含み、前記第一層及び/又は第二層が少なくとも1種の医薬として許容し得る賦形剤をさらに含む、請求項１又は２記載の医薬製剤。
【請求項４】
前記多層状錠剤が、二層状錠剤又は三層状錠剤である、請求項３記載の医薬製剤。
【請求項５】
前記多層状錠剤が三層状錠剤であり、かつ前記錠剤の第三層が、前記第一層と第二層との中間にあり、かつ任意に前記ヌクレオシド系逆転写酵素阻害剤及び前記ヌクレオチド系逆転写酵素阻害剤を含まない又は実質的に含まない、請求項４記載の医薬製剤。
【請求項６】
前記コーティング錠剤が、前記第一領域又は第二領域のうちの一方を含むコア、及び前記第一領域又は第二領域のうちの他方を含むコーティング層から形成されている、請求項１又は２記載の医薬製剤。
【請求項７】
前記コーティング錠剤が、前記コアとコーティング層との間に中間層を含み、かつ前記錠剤の中間層が任意に前記ヌクレオシド系逆転写酵素阻害剤及び前記ヌクレオチド系逆転写酵素阻害剤を含まない又は実質的に含まない、請求項６記載の医薬製剤。
【請求項８】
前記ヌクレオシド系逆転写酵素阻害剤が、ラミブジン、アバカビル、エミトリシタビン、ジドブジン、又はスタブジン、或いはそれらの生理的機能性誘導体である、請求項１〜７のいずれか１項記載の医薬製剤。
【請求項９】
前記ヌクレオチド系逆転写酵素阻害剤が、テノホビルDF又はアデホビル、或いはそれらの生理的機能性誘導体である、請求項１〜８のいずれか１項記載の医薬製剤。
【請求項１０】
前記ヌクレオシド系逆転写酵素阻害剤がラミブジン又はその生理的機能性誘導体であり、かつ前記ヌクレオチド系逆転写酵素阻害剤がテノホビルDF又はその生理的機能性誘導体である、請求項１〜９のいずれか１項記載の医薬製剤。
【請求項１１】
単位剤形あたり、前記ヌクレオシド系逆転写酵素阻害剤を50mg〜600mg、好ましくは、単位剤形あたり、前記ヌクレオシド系逆転写酵素阻害剤を150mg〜450mg、より好ましくは、単位剤形あたり、前記ヌクレオシド系逆転写酵素阻害剤を約300mg含み、かつさらに、単位剤形あたり、前記ヌクレオチド系逆転写酵素阻害剤を75mg〜600mg、好ましくは、単位剤形あたり、前記ヌクレオチド系逆転写酵素阻害剤を150mg〜450mg、より好ましくは、前記ヌクレオチド系逆転写酵素阻害剤を約300mg含む、請求項１〜１０のいずれか１項記載の医薬製剤。
【請求項１２】
請求項１〜１１のいずれか１項記載の医薬製剤を含み、さらに非ヌクレオシド系逆転写酵素阻害剤を含む、医薬品。
【請求項１３】
前記非ヌクレオシド系逆転写酵素阻害剤が、エファビレンツ、ネビラピン、又はデラビルジン、或いはそれらの生理的機能性誘導体、好ましくは、エファビレンツ又はその生理的機能性誘導体である、請求項１２記載の医薬品。
【請求項１４】
前記非ヌクレオシド系逆転写酵素阻害剤が第一剤形として配合され、かつ前記ヌクレオシド系逆転写酵素阻害剤及び前記ヌクレオチド系逆転写酵素阻害剤が第二の別個の単位剤形として配合されている、請求項１２又は１３のいずれか１項記載の医薬品。
【請求項１５】
i)ラミブジン
ii)ヌクレオチド系逆転写酵素阻害剤、及び
iii)非ヌクレオシド系逆転写酵素阻害剤を含む、医薬品であって、
前記ヌクレオチド系逆転写酵素阻害剤がテノホビルDFであり、かつ前記非ヌクレオシド系逆転写酵素阻害剤がエファビレンツである、前記医薬品。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
ヨウ素またはイオン銀の群から選択される抗菌剤源を０．０１〜１０重量％、およびバイオフィルムを破壊する薬剤としてＥＤＴＡを０．５〜１０重量％を含むことを特徴とする、皮膚および創傷用殺菌組成物。
【請求項２】
該組成物のｐＨが４と８の間であることを特徴とする、請求項１に記載の組成物。
【請求項３】
該組成物のｐＨが４．５と５．５の間であることを特徴とする、請求項１または２に記載の組成物。
【請求項４】
形態がゲルである、上記請求項のいずれかに記載の組成物。
【請求項５】
該組成物がヨウ素を含むことを特徴とする、上記請求項のいずれかに記載の組成物。
【請求項６】
ヨウ素源、酸化剤および緩衝液を含む組成物であって、該ヨウ素は使用時まで該酸化剤と分かれて保持されていることを特徴とする、上記請求項のいずれかに記載の組成物。
【請求項７】
該組成物がヨウ素５μｇ／組成物ｇ／時間〜ヨウ素１５００μｇ／組成物ｇ／時間を生じることができることを特徴とする、請求項６に記載の組成物。
【請求項８】
該組成物がイオン銀を含むことを特徴とする、請求項１〜４のいずれかに記載の組成物。
【請求項９】
該組成物がイオン銀を０．１〜１０重量％、より好ましくは０．５〜１．５重量％含むことを特徴とする、請求項８に記載の組成物。
【請求項１０】
ＥＤＴＡのジ、トリ、およびテトラ塩基性塩を含む創傷用殺菌組成物の調製方法であって、水溶液に四ナトリウム塩としてＥＤＴＡを加え、ついで該組成物のｐＨをｐＨ４〜８に調整する工程を含むことを特徴とする、該調製方法。
【請求項１１】
慢性的創傷および熱傷の治療における使用のための、請求項１に記載の組成物を含む薬物の製造における、殺菌組成物の使用。
【請求項１２】
該抗菌剤がヨウ素、イオン銀または酸化剤（例えば次亜塩素酸ナトリウムまたは二酸化塩素）の群から選択されることを特徴とする、請求項１１に記載の殺菌組成物の使用。
【手続補正書】
【提出日】平成21年11月17日(2009.11.17)
【手続補正１】
【補正対象書類名】明細書
【補正対象項目名】特許請求の範囲
【補正方法】変更
【補正の内容】
【特許請求の範囲】
【請求項１】  筋細胞中の遺伝子発現を調節する方法であって、非ヒトの筋細胞又はヒトから取り出した筋細胞を、筋細胞中の遺伝子を標的とするマイクロＲＮＡ（ｍｉＲＮＡ）又はｍｉＲＮＡをコードするベクターと接触させることから成る方法。
【請求項２】  前記ｍｉＲＮＡが、配列番号１〜１１及び配列番号１〜１１のいずれかと少なくとも７０％相同な配列から成る群から選択されるヌクレオチド配列から成る請求項１に記載の方法。
【請求項３】  前記ｍｉＲＮＡが、ｍｉＲ−１、ｍｉＲ−１３３、ｍｉＲ−２０６、ｍｉＲ−２０８、ｍｉＲ−２２、ｍｉＲ−２６、ｍｉＲ−２９、ｍｉＲ−３０、ｍｉＲ−１２８、ｍｉＲ−１４３及びｍｉＲ−１４５から成る群から選択される請求項１又は２に記載の方法。
【請求項４】  前記ｍｉＲＮＡをコードするベクターが、
（ａ）該ｍｉＲＮＡ分子をコードする核酸分子に作動可能に連結したプロモーター、及び
（ｂ）転写終結配列、
を含む請求項１〜３のいずれか一項に記載の方法。
【請求項５】  前記遺伝子が、筋肉細胞分化遺伝子及び筋肉細胞増殖遺伝子から成る群から選択される請求項１〜４のいずれか一項に記載の方法。
【請求項６】  前記筋細胞分化遺伝子が、ヒストンジアセチラーゼ４（ＨＤＡＣ４）ポリペプチドをコードする請求項５に記載の方法。
【請求項７】  前記筋細胞増殖遺伝子が、血清応答因子（ＳＲＦ）ポリペプチドをコードする請求項５に記載の方法。
【請求項８】  患者における筋肉損傷を治療するための医薬組成物であって、筋肉損傷部位における筋細胞内の遺伝子を標的とするマイクロＲＮＡ（ｍｉＲＮＡ）、該ｍｉＲＮＡをコードするベクター、若しくは該ｍｉＲＮＡの阻害剤又はこれらの組合せから成る医薬組成物。
【請求項９】  前記ｍｉＲＮＡが、配列番号１〜１１及び配列番号１〜１１のいずれかと少なくとも７０％相同な配列から成る群から選択されるヌクレオチド配列から成る請求項８に記載の医薬組成物。
【請求項１０】  前記ｍｉＲＮＡの阻害剤が標的ｍｉＲＮＡとハイブリダイズすることができる請求項８又は９に記載の医薬組成物。
【請求項１１】  前記標的ｍｉＲＮＡが、ｍｉＲ−１、ｍｉＲ−１３３、ｍｉＲ−２０６、ｍｉＲ−２０８、ｍｉＲ−２２、ｍｉＲ−２６、ｍｉＲ−２９、ｍｉＲ−３０、ｍｉＲ−１２８、ｍｉＲ−１４３及びｍｉＲ−１４５から成る群から選択される請求項８〜１０のいずれか一項に記載の医薬組成物。
【請求項１２】  前記遺伝子が、筋肉細胞分化遺伝子及び筋肉細胞増殖遺伝子から成る群から選択される請求項８〜１１のいずれか一項に記載の医薬組成物。
【請求項１３】  前記筋細胞分化遺伝子が、ヒストンジアセチラーゼ４（ＨＤＡＣ４）ポリペプチドをコードする請求項１２に記載の医薬組成物。
【請求項１４】  前記筋細胞増殖遺伝子が、血清応答因子（ＳＲＦ）ポリペプチドをコードする請求項１２に記載の医薬組成物。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
有機アミン又はアミノ化合物のカルボン酸塩、ＤＮＰ剤及び任意には常磁性金属イオンを含んでなる組成物。
【請求項２】
動的核分極で使用するための請求項１記載の組成物。
【請求項３】
当該組成物が液体組成物、好ましくは溶媒又は溶媒混合物に溶解した組成物である、請求項１又は請求項２記載の組成物。
【請求項４】
有機アミン又はアミノ化合物のカルボン酸塩が内因性カルボン酸塩、好ましくはヒト又はヒト以外の動物の体内における代謝過程で役割を果たす内因性カルボン酸塩である、請求項１乃至請求項３のいずれか１項記載の組成物。
【請求項５】
有機アミン又はアミノ化合物のカルボン酸塩が、好ましくはカルボキシル−Ｃ原子、カルボニル−Ｃ原子又は第四級Ｃ原子の位置で濃縮された13Ｃ−濃縮化合物である、請求項１乃至請求項４のいずれか１項記載の組成物。
【請求項６】
有機アミン又はアミノ化合物が低分子量の有機アミン又はアミノ化合物である、請求項１乃至請求項５のいずれか１項記載の組成物。
【請求項７】
有機アミン又はアミノ化合物が生理学的に許容できる有機アミン又はアミノ化合物、好ましくは生理学的に許容できるアミノアルコールである、請求項１乃至請求項６のいずれか１項記載の組成物。
【請求項８】
ＤＮＰ剤が安定な酸素系、硫黄系又は炭素系トリチルラジカルである、請求項１乃至請求項７のいずれか１項記載の組成物。
【請求項９】
トリチルラジカルが下記式（１）のラジカルである、請求項８記載の組成物。
【化１】
2009519329.tif 000001
（式中、
Ｍは水素又は１当量の陽イオンを表し、
Ｒ１は同一又は相異なるものであって、直鎖又は枝分れＣ1〜Ｃ6−アルキル基、Ｃ1〜Ｃ6−ヒドロキシアルキル基或いは−(ＣＨ2)n−Ｘ−Ｒ２基（式中、ｎは１、２又は３であり、ＸはＯ又はＳであり、Ｒ２は直鎖又は枝分れＣ1〜Ｃ4−アルキル基である。）を表す。）
【請求項１０】
当該組成物が常磁性金属イオン、好ましくは原子番号５８〜７０のランタニド金属或いは原子番号２１〜２９、４２又は４４の遷移金属の常磁性金属イオンを含む、請求項１乃至請求項９のいずれか１項記載の組成物。
【請求項１１】
常磁性金属イオンがカルボン酸塩中に可溶であり、好ましくは溶媒又は溶媒混合物に溶解したカルボン酸塩中に可溶である、請求項１０記載の組成物。
【請求項１２】
有機アミン又はアミノ化合物の過分極カルボン酸塩を含んでなる組成物であって、動的核分極によって得られる組成物。
。
【請求項１３】
ＭＲ造影剤として使用するための請求項１２記載の組成物。
【請求項１４】
有機アミン又はアミノ化合物の固体過分極カルボン酸塩の製造方法であって、有機アミン又はアミノ化合物のカルボン酸塩、ＤＮＰ剤、好ましくはトリチルラジカル、及び任意には常磁性金属イオンを含む組成物を調製する段階、並びに該組成物に関して動的核分極を実施する段階を含んでなる方法。
【請求項１５】
有機アミン又はアミノ化合物の液体過分極カルボン酸塩の製造方法であって、有機アミン又はアミノ化合物のカルボン酸塩、ＤＮＰ剤、好ましくはトリチルラジカル、及び任意には常磁性金属イオンを含む組成物を調製する段階、該組成物に関して動的核分極を実施する段階、好ましくは溶解によって該組成物を液化する段階、並びに任意には液化組成物からＤＮＰ剤及び／又は常磁性金属イオンを除去する段階を含んでなる方法。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
エンテロスタチン、又はその塩若しくは溶媒和物と非吸湿性添加剤とを含む、エンテロスタチン欠乏症に関連する状態を治療又は予防するための非吸湿性医薬組成物。
【請求項２】
前記エンテロスタチンが、APGPR(配列番号1)、VPDPR(配列番号2)及びVPGPR(配列番号3)からなる群から選択されるアミノ酸を有するペプチドである、請求項1記載の非吸湿性医薬組成物。
【請求項３】
前記エンテロスタチンが、アミノ酸配列APGPR(配列番号1)を有するペプチドである、請求項1記載の非吸湿性医薬組成物。
【請求項４】
前記エンテロスタチンが、アミノ酸配列VPDPR(配列番号2)を有するペプチドである、請求項1記載の非吸湿性医薬組成物。
【請求項５】
前記エンテロスタチンが、アミノ酸配列VPGPR(配列番号3)を有するペプチドである、請求項1記載の非吸湿性医薬組成物。
【請求項６】
前記非吸湿性添加剤が、二塩基性無水リン酸カルシウム、硫酸カルシウム、珪酸カルシウム、粉末化セルロース、デキストロース、ラクチトール、マンニトール及びそれらの混合物からなる群から選択される、請求項1記載の非吸湿性医薬組成物。
【請求項７】
前記エンテロスタチンの溶媒和物を含む、請求項1記載の非吸湿性医薬組成物。
【請求項８】
前記エンテロスタチンの水和物を含む、請求項1記載の非吸湿性医薬組成物。
【請求項９】
エンテロスタチン塩を含む、請求項1記載の非吸湿性医薬組成物。
【請求項１０】
前記エンテロスタチン塩が、塩化エンテロスタチン、酢酸エンテロスタチン、硫酸エンテロスタチン及びリン酸エンテロスタチンからなる群から選択される、請求項9記載の非吸湿性医薬組成物。
【請求項１１】
前記エンテロスタチン塩が、塩化エンテロスタチンである、請求項9記載の非吸湿性医薬組成物。
【請求項１２】
前記エンテロスタチン塩が、酢酸エンテロスタチンである、請求項9記載の非吸湿性医薬組成物。
【請求項１３】
前記エンテロスタチン塩が、硫酸エンテロスタチンである、請求項9記載の非吸湿性医薬組成物。
【請求項１４】
前記エンテロスタチン塩が、リン酸エンテロスタチンである、請求項9記載の非吸湿性医薬組成物。
【請求項１５】
5%から95%の相対湿度で30重量%未満の水分を吸着する、請求項1記載の非吸湿性医薬組成物。
【請求項１６】
95%から5%の相対湿度で30重量%未満の水分を脱着する、請求項1記載の非吸湿性医薬組成物。
【請求項１７】
5%から95%の相対湿度で30重量%未満の水分を吸着し、95%から5%の相対湿度で30重量%未満の水分を脱着する、請求項1記載の非吸湿性医薬組成物。
【請求項１８】
非吸湿性殻内にエンテロスタチンを含む、エンテロスタチン欠乏症に関連する状態を治療又は予防するための非吸湿性医薬組成物。
【請求項１９】
対象に投与されると、前記殻が、前記エンテロスタチンを放出することが可能である、請求項18記載の非吸湿性医薬組成物。
【請求項２０】
前記エンテロスタチンが、APGPR(配列番号1)、VPDPR(配列番号2)及びVPGPR(配列番号3)からなる群から選択されるアミノ酸を有するペプチドである、請求項18記載の非吸湿性医薬組成物。
【請求項２１】
前記非吸湿性殻が、A型ゼラチン及びB型ゼラチンなどのゼラチン、ヒドロキシプロピルメチルセルロースなどのセルロース、デンプン及びアカシアゴムからなる群から選択される非吸湿性マトリックスから選択されるマトリックス形成材料を含む、請求項18記載の非吸湿性医薬組成物。
【請求項２２】
エンテロスタチン又はその塩の非吸湿性固体分散物を含む、エンテロスタチン欠乏症に関連する状態を治療又は予防するための非吸湿性医薬組成物。
【請求項２３】
前記エンテロスタチンが、APGPR(配列番号1)、VPDPR(配列番号2)及びVPGPR(配列番号3)からなる群から選択されるアミノ酸を有するペプチドである、請求項22記載の非吸湿性医薬組成物。
【請求項２４】
前記固体分散物が、ヒドロキシエチルセルロース、HPC、HPMC、フタル酸HPMC、PVP、PEG、ポリグリコール化グリセリド、シクロデキストリン及びカルボマーを含む、請求項22記載の非吸湿性医薬組成物。
【請求項２５】
エンテロスタチン塩を含む、請求項22記載の非吸湿性医薬組成物。
【請求項２６】
前記エンテロスタチン塩が、塩化エンテロスタチン、酢酸エンテロスタチン、硫酸エンテロスタチン及びリン酸エンテロスタチンからなる群から選択される、請求項25記載の非吸湿性医薬組成物。
【請求項２７】
エンテロスタチン欠乏症に関連する状態の治療又は予防のための医薬の製造における、請求項1、18又は22のいずれか1項記載の医薬組成物の使用。
【請求項２８】
前記状態が、過体重、肥満、高血圧症、異脂肪症、2型糖尿病、冠状動脈性心疾患、卒中、胆嚢病、骨関節炎、睡眠時無呼吸及び呼吸障害並びに癌からなる群から選択される、請求項27記載の使用。
【請求項２９】
前記状態が、肥満である、請求項28記載の使用。
【請求項３０】
脂肪に対する食欲の抑制を必要とする対象において、脂肪に対する食欲を抑制するための医薬の製造における、請求項1、18又は22のいずれか1項記載の医薬組成物の使用。